(57)【要約】【課題】電気接続箱に並列収容したバスバー一体ヒュージブルリンクの溶断部を容易に確認できる構造とする。【解決手段】導電性金属板に細幅とした溶断部を一体的に形成しているバスバー一体ヒュージブルリンクを複数枚備え、これらバスバー一体ヒュージブルリンクをケース内部に垂直方向に収容して、各バスバー一体ヒュージブルリンクの溶断部を側面に位置させ、該状態でケースの上面をカバーで閉鎖しており、上記ケースの周壁側のバスバー一体ヒュージブルリンクを最下位置としてケース内部側に向かって高位置となるように上下方向に段差をつけて並設すると共に、該最下位置のバスバー一体ヒュージブルリンクの溶断部に対向する位置の上記ケース周壁には上端より切欠部を設け、上記各バスバー一体ヒュージブルリンクの溶断部が外部視認可能な構成としている。【選択図】  図３
2005045867.tif 000002
【特許請求の範囲】
【請求項１】
導電性金属板に細幅とした溶断部を一体的に形成しているバスバー一体ヒュージブルリンクを複数枚備え、これらバスバー一体ヒュージブルリンクをケース内部に垂直方向に収容して、各バスバー一体ヒュージブルリンクの溶断部を側面に位置させ、該状態でケースの上面をカバーで閉鎖しており、
上記ケースの周壁側のバスバー一体ヒュージブルリンクを最下位置としてケース内部側に向かって高位置となるように上下方向に段差をつけて並設すると共に、該最下位置のバスバー一体ヒュージブルリンクの溶断部に対向する位置の上記ケース周壁には上端より切欠部を設け、上記各バスバー一体ヒュージブルリンクの溶断部が外部視認可能な構成としていることを特徴とする電気接続箱。
【請求項２】
上記段差をあけて並設するバスバー一体ヒュージブルリンク間の隙間が広い場合には、ケース内部側のバスバー一体ヒュージブルリンクの溶断部の上下方向の全部または大部分を隣接するケース周壁側のバスバー一体ヒュージブルリンクの溶断部に重ねて段差量を小さく設定し、上記隙間が狭い場合には、ケース内部側のバスバー一体ヒュージブルリンクの溶断部の上下方向の全部または大部分が、隣接するケース周壁側のバスバー一体ヒュージブルリンクの溶断部より突出するように段差量を大としている請求項１に記載の電気接続箱。
【発明の詳細な説明】
【０００１】
【発明の属する技術分野】
本発明は、電気接続箱に関し、特に、導電性金属板の一部に細幅の溶断部を一体的に形成した複数枚のバスバー一体ヒュージブルリンクを並列収容した電気接続箱において、溶断部の溶断有無を外部から容易に確認できるようにするものである。
【０００２】
【従来の技術】
自動車に搭載される電気接続箱には、図６に示すように、一枚のバスバー２を打抜加工して、バッテリーに接続される入力端子３と多数の出力端子４との間に複数の細幅部として一体的に溶断部５を設けたバスバー一体ヒュージブルリンク１を電気接続箱に収容している場合がある。
【０００３】
【特許文献１】
特開２００２−５２４３３号公報
【０００４】
【発明が解決しようとする課題】
上記構成のバスバー一体ヒュージブルリンク１は、溶断部５の溶断有無を確認する際に電気接続箱のボックスからバスバー一体ヒュージブルリンク１を取り出す必要がある。そのため、手間と時間がかかり、特に極数が多い場合には高い離脱力を要し、作業性が悪い点に問題がある。また、取り外しの際に出力端子４や相手方端子の変形が起こるおそれもある。
【０００５】
また、図７に示すように、複数枚のバスバー一体ヒュージブルリンク１ａ、１ｂをケース６内に並設している場合は、溶断有無の確認のために各バスバー一体ヒュージブルリンク１ａ、１ｂをケース６から取り外す必要があり、一層問題である。
さらに、バスバー一体ヒュージブルリンク１ａ、１ｂ間には仕切り壁７が設けられるが、バスバー一体ヒュージブルリンク１ａに形成された入力端子３ａにＬＡ端子８を接続する場合、ファイアーハザード防止のために上記仕切り壁７をＬＡ端子８の圧着部８ａの位置よりも突出するように形成する必要がある。従って、ＬＡ端子８と接続するバスバー一体ヒュージブルリンク１ａに隣接する他のバスバー一体ヒュージブルリンク１ｂの入力端子３ｂが上記仕切り壁７の突出によって深く奥まるため、入力端子３ｂと相手方端子９との接続作業の際に該仕切り壁７が邪魔となり、作業が困難となる問題もある。
【０００６】
本発明は上記問題に鑑みてなされたもので、バスバー一体ヒュージブルリンクの溶断部、特に、並設されたバスバー一体ヒュージブルリンクの溶断部の溶断有無を外部から容易に視認できると共に、各バスバー一体ヒュージブルリンクの接続作業が容易となる電気接続箱の提供を課題としている。
【０００７】
【課題を解決するための手段】
上記課題を解決するために、本発明は、導電性金属板に細幅とした溶断部を一体的に形成しているバスバー一体ヒュージブルリンクを複数枚備え、これらバスバー一体ヒュージブルリンクをケース内部に垂直方向に収容して、各バスバー一体ヒュージブルリンクの溶断部を側面に位置させ、該状態でケースの上面をカバーで閉鎖しており、
上記ケースの周壁側のバスバー一体ヒュージブルリンクを最下位置としてケース内部側に向かって高位置となるように上下方向に段差をつけて並設すると共に、該最下位置のバスバー一体ヒュージブルリンクの溶断部に対向する位置の上記ケース周壁には上端より切欠部を設け、上記各バスバー一体ヒュージブルリンクの溶断部が外部視認可能な構成としていることを特徴とする電気接続箱を提供している。
【０００８】
このように、複数枚のバスバー一体ヒュージブルリンクを、ケース周壁側からケース内部に向かって高位置となるように上下段差を設けて配置すると、各バスバー一体ヒュージブルリンク間のわずかな隙間からでもケース内部側のバスバー一体ヒュージブルリンクの溶断部を視認しやすくなる。また、ケース周壁に設けた切欠部によって、周壁側のバスバー一体ヒュージブルリンクの溶断部を視認可能となる。従って、上記カバーを取り外すだけで、ケース周壁側からケース内部側までの全バスバー一体ヒュージブルリンクの溶断部の溶断有無を視認できるため、ケースから全バスバー一体ヒュージブルリンクを取り外す作業が不要となり、溶断有無確認作業の手間や時間が軽減すると共に、取り外し作業に起因する端子変形を防止して品質向上を図ることができる。
【０００９】
また、各バスバー一体ヒュージブルリンク間には通常仕切り壁が設けられるが、上記のように上下段差をあけてバスバー一体ヒュージブルリンクを並列配置することにより、隣接する一方のバスバー一体ヒュージブルリンクにとって仕切り壁の突出量を減らすことができる。従って、バスバー一体ヒュージブルリンクと他回路との接続作業に際して、該仕切り壁に邪魔されることなく、容易に端子挿入することができる。
【００１０】
上記段差をあけて並設するバスバー一体ヒュージブルリンク間の隙間が広い場合には、ケース内部側のバスバー一体ヒュージブルリンクの溶断部の上下方向の全部または大部分を隣接するケース周壁側のバスバー一体ヒュージブルリンクの溶断部に重ねて段差量を小さく設定し、上記隙間が狭い場合には、ケース内部側のバスバー一体ヒュージブルリンクの溶断部の上下方向の全部または大部分が、隣接するケース周壁側のバスバー一体ヒュージブルリンクの溶断部より突出するように段差量を大としている。
即ち、該段差量は、周壁側のバスバー一体ヒュージブルリンクの上端部越しに隣接する内部側のバスバー一体ヒュージブルリンクの溶断部の全体を視認することができる量であり、バスバー一体ヒュージブルリンク間の隙間が広い場合は、ケース内部側の溶断部が隣接するケース周壁側のバスバー一体ヒュージブルリンクに重なっていても、上記隙間から該溶断部全体を視認することができるため、むしろ段差量を可能な限り小さくすることにより電気接続箱の嵩高化を防止することができる。
【００１１】
【発明の実施の形態】
以下、本発明の実施形態を図面を参照して説明する。
図１乃至図３は本発明の第１実施形態に係る電気接続箱１０を示し、この電気接続箱１０は、ケース１１内に２枚のバスバー一体ヒュージブルリンク２０Ａ、２０Ｂを収容し、その上面開口をカバー１２で閉鎖し、下面にロアカバー１３を被せ、ロアカバー１３の係止爪１５をアッパーカバー１２の被係止部１４に係止してロックする構成としている。
【００１２】
上記２枚のバスバー一体ヒュージブルリンク２０Ａ、２０Ｂは、図１に示すように、１枚の導電性金属板を打抜加工して入力端子部（図示せず）と複数の出力端子部２２ａ、２２ｂ、側面に位置するＳ字状の細幅部からなる複数の溶断部２３ａ、２３ｂを並設して一体的に形成している。該バスバー一体ヒュージブルリンク２０Ａ、２０Ｂは、入力端子部の接続部、出力端子部２２ａ、２２ｂの接続部および溶断部２３ａ、２３ｂを除き樹脂２４でモールドしている。特に、各溶断部２３ａ、２３ｂに対応する部分は、内外に貫通する窓孔２５を形成するようにモールドし、内外に溶断部２３ａ、２３ｂを露出させている。
【００１３】
上記バスバー一体ヒュージブルリンク２０Ａ、２０Ｂは、図２、図３に示すように、上記ケース１１の内部側から周壁１１ａ側に向かってバスバー一体ヒュージブルリンク２０Ａ、２０Ｂの順に並設されるように、該ケース１１内に垂直方向に挿入係止されている。また、周壁１１ａ側のバスバー一体ヒュージブルリンク２０Ｂが下位置に、内部側のバスバー一体ヒュージブルリンク２０Ａが高位置となるように上下に段差をつけて配置されている。この段差量Ｈ１は、周壁１１ａ側のバスバー一体ヒュージブルリンク２０Ｂの上端部越しに内部側のバスバー一体ヒュージブルリンク２０Ａの溶断部２３ａの全体を視認することができる最小の段差量とし、本実施形態では、バスバー一体ヒュージブルリンク２０Ａの溶断部２３ａの上下方向の全体がバスバー一体ヒュージブルリンク２０Ｂに重なる程度の段差量Ｈ１としている。
【００１４】
ケース１１の内部側に収容された上記バスバー一体ヒュージブルリンク２０Ａは、出力端子部２２ａをケース１１の下面側に突出させており、電線Ｗ１の端末に接続されたＬＡ端子３１と上記出力端子部２２ａとをボルト４１およびナット４２で固定し接続している。
一方、周壁１１ａ側に収容された上記バスバー一体ヒュージブルリンク２０Ｂは、ケース１１の下面側に形成したキャビティ１７内に出力端子部２２ｂを突出させ、電線Ｗ２の端末に接続された雌端子３２に挿入接続させる。
【００１５】
上記ケース１１の周壁１１ａには、該ケース１１内に収容された下位置のバスバー一体ヒュージブルリンク２０Ｂの溶断部２３ｂと対向する位置まで、上端１１ｂより切欠部１６を形成しており、本実施形態では、図３に示すように、該切欠部１６の下端縁１６ａを上記溶断部２３ｂの略中央部と対向する位置に形成している。
また、上記バスバー一体ヒュージブルリンク２０Ａと２０Ｂの間には、上記ケース１１の上面側から下面側にかけて仕切壁１１ｃを形成しており、該仕切り壁１１ｃは、上記バスバー一体ヒュージブルリンク２０Ａの出力端子部２２ａと接続されたＬＡ端子３１の圧着部３１ａよりも下方位置まで延在させている。
【００１６】
上記構成の電気接続箱１０では、アッパーカバー１２を取り外すだけで、ケース１１内に収容されたバスバー一体ヒュージブルリンク２０Ａ、２０Ｂの溶断部２３ａ、２３ｂを容易に視認することができる。特に、ケース内部側のバスバー一体ヒュージブルリンク２０Ａを周壁１１ａ側のバスバー一体ヒュージブルリンク２０Ｂよりも高位置に配置できるように段差を設けることにより、内部側の溶断部２３ａも、図３に示す矢印の方向から全体を視認することができる。従って、２枚のバスバー一体ヒュージブルリンク２０Ａ、２０Ｂをいずれもケース１１から取り外すことなく、外部から容易に溶断部２３ａ、２３ｂを視認できるため、溶断有無確認の作業性を大幅に向上させることができると共に、従来の取り外し作業に起因する端子変形等を防止できるため、品質向上も図ることができる。
【００１７】
さらに、図７に示す従来例のように２枚のバスバー一体ヒュージブルリンクを上下に段差を設けずに並列に収容した場合に比して、本実施形態では、図３に示すように、バスバー一体ヒュージブルリンク２０Ｂの出力端子部２２ｂを突出させたキャビティ１７に対して仕切り壁１１ｃの突出量が小さくなるため、該キャビティ１７への雌端子３２の挿入作業に際して該仕切り壁１１ｃが邪魔にならず、挿入作業が容易となる。
【００１８】
図４は本発明の第２実施形態に係る電気接続箱１０’を示し、ケース１１’に３枚のバスバー一体ヒュージブルリンク２０Ａ、２０Ｂ、２０Ｃを垂直方向に並設している点で上記第１実施形態と相違するが、その他の構成は上記第１実施形態と同様であるため同一符号を付して説明を省略する。
【００１９】
上記バスバー一体ヒュージブルリンク２０Ｃは、バスバー一体ヒュージブルリンク２０Ａ、２０Ｂと同様の構成よりなる。即ち、１枚の導電性金属板を打抜加工して入力端子部と複数の出力端子部２２ｃと、Ｓ字状の細幅部からなる複数の溶断部２３ｃを並設して一体的に形成している。また、該バスバー一体ヒュージブルリンク２０Ｃは、入力端子部の接続部、出力端子部２２ｃの接続部および溶断部２３ｃを除き樹脂２４でモールドし、各溶断部２３ｃに対応する部分は、内外に貫通する窓孔２５を形成するようにモールドして、内外に溶断部２３ｃを露出させている。
【００２０】
バスバー一体ヒュージブルリンク２０Ａ、２０Ｂ、２０Ｃは、図４に示すように、上記ケース１１’の内部側から周壁１１ａ’側から内部側に向かってバスバー一体ヒュージブルリンク２０Ａ、２０Ｂ、２０Ｃの順に並設されるように、該ケース１１’内に垂直方向に挿入係止されている。このとき、バスバー一体ヒュージブルリンク２０Ａとバスバー一体ヒュージブルリンク２０Ｂとの隙間Ｓ１は、バスバー一体ヒュージブルリンク２０Ｂとバスバー一体ヒュージブルリンク２０Ｃとの隙間Ｓ２よりも広く設定し、バスバー一体ヒュージブルリンク２０Ａの出力端子部２２ａをＬＡ端子３１と接続するためのナット４２の配置スペースを確保している。
なお、バスバー一体ヒュージブルリンク２０Ｂの出力端子部２２ｂと、バスバー一体ヒュージブルリンク２０Ｃの出力端子部２２ｃは、それぞれキャビティ１７’に突出させて電線Ｗ２、Ｗ３に接続された雌端子３２、３３にそれぞれ接続される構成としている。
【００２１】
また、上記バスバー一体ヒュージブルリンク２０Ａ、２０Ｂ、２０Ｃは、周壁１１ａ’側のバスバー一体ヒュージブルリンク２０Ｃを最下位置とし、内部側に向かってバスバー一体ヒュージブルリンク２０Ｂ、バスバー一体ヒュージブルリンク２０Ａの順に高位置となっていくように、バスバー一体ヒュージブルリンク２０Ｃ、２０Ｂ間には段差量Ｈ２の上下段差を、バスバー一体ヒュージブルリンク２０Ｂ、２０Ａ間は段差量Ｈ１の上下段差をつけて配置されている。このとき、段差量Ｈ１は、バスバー一体ヒュージブルリンク２０Ａの溶断部２３ａの上下方向全体がバスバー一体ヒュージブルリンク２０Ｂと重なる程度の小さい段差量とし、一方の段差量Ｈ２は段差量Ｈ１よりも大きく、バスバー一体ヒュージブルリンク２０Ｂの溶断部２３ｂの上下方向の略半分がバスバー一体ヒュージブルリンク２０Ｃより上方に突出する段差量に設定している。
【００２２】
上記ケース１１’の周壁１１ａ’には、該ケース１１’内に収容された最下位置のバスバー一体ヒュージブルリンク２０Ｃの溶断部２３ｃと対向する位置まで切欠部１６’を形成している。
【００２３】
本実施形態においても、垂直方向に収容された３枚のバスバー一体ヒュージブルリンク２０Ａ、２０Ｂ、２０Ｃが、周壁１１ａ’側を最下位置として内部側に向かって高位置となるように段差をつけて配置されているため、図４中矢印で示すように、内部側のバスバー一体ヒュージブルリンク２０Ａ、２０Ｂの溶断部２３ａ、２３ｂでも、ケース１１’から取り外すことなく外部から視認することができる。特に、バスバー一体ヒュージブルリンク２０Ｂ、２０Ｃ間の隙間Ｓ２は狭くなっているが、段差量Ｈ２を大きく設定しているため、溶断部２３ｂをバスバー一体ヒュージブルリンク２０Ｃの上端越しに斜め上方から容易に視認することができる。一方、バスバー一体ヒュージブルリンク２０Ｂ、２０Ａ間の隙間Ｓ１は広いため、段差量Ｈ１を出来るだけ小さく設定することにより、電気接続箱１０’の嵩高抑制とのバランスをとっている。
【００２４】
図５は本発明の第３実施形態に係る電気接続箱１０”を示し、ケース１１”に４枚のバスバー一体ヒュージブルリンク２０Ａ〜２０Ｄを垂直方向に収容して並設している。
【００２５】
バスバー一体ヒュージブルリンク２０Ｄは、上記バスバー一体ヒュージブルリンク２０Ａ〜２０Ｃと同様の構成よりなる。即ち、１枚の導電性金属板を打抜加工して入力端子部と複数の出力端子部２２ｄと、Ｓ字状の細幅部からなる複数の溶断部２３ｄを並設して一体的に形成している。また、該バスバー一体ヒュージブルリンク２０Ｄは、入力端子部の接続部、出力端子部２２ｄの接続部および溶断部２３ｄを除き樹脂２４でモールドし、各溶断部２３ｄに対応する部分は、内外に貫通する窓孔２５を形成するようにモールドして、内外に溶断部２３ｄを露出させている。
【００２６】
バスバー一体ヒュージブルリンク２０Ａ〜２０Ｄは、上記ケース１１”の一端寄りに並設され、図５に示すように、対向する周壁１１ａ”から１１ｄ”にかけて、バスバー一体ヒュージブルリンク２０Ｂ、２０Ａ、２０Ｃ、２０Ｄの順に垂直方向に収容されている。また、周壁１１ａ”側のバスバー一体ヒュージブルリンク２０Ｂと周壁１１ｄ”側のバスバー一体ヒュージブルリンク２０Ｄとが最下位置に、内部側のバスバー一体ヒュージブルリンク２０Ａ、２０Ｃが高位置となるように、段差量Ｈ３、Ｈ４の上下段差をつけて配置している。
【００２７】
ケース１１”の相対向する周壁１１ａ”、１１ｄ”にはそれぞれ切欠部１６を形成している。詳しくは、周壁１１ａ”には、ケース１１”内に収容された最下位置のバスバー一体ヒュージブルリンク２０Ｂの溶断部２３ｂと対向する位置まで切欠部１６”を形成し、一方の周壁１１ｄ”にも、該ケース１１”内に収容された最下位置のバスバー一体ヒュージブルリンク２０Ｄの溶断部２３ｄと対向する位置まで切欠部１６”を形成している。
その他の点では上記実施形態と同一構成であるため、同一符号を付して説明を省略する。
【００２８】
本実施形態においては、ケース１１”内に  収容される４枚のバスバー一体ヒュージブルリンク２０Ａ〜２０Ｄのうち、両端に位置するバスバー一体ヒュージブルリンク２０Ｂ、２０Ｄを、相対向する周壁１１ａ”、１１ｄ”側にそれぞれ配置し、これら両端のバスバー一体ヒュージブルリンク２０Ｂ、２０Ｄが共に低く、内部側のバスバー一体ヒュージブルリンク２０Ａ、２０Ｃが高くなるように段差をつけている。従って、一端側から他端側に向かって段差をつけてバスバー一体ヒュージブルリンクを順次高く配置していく場合に比して、最高位置と最低位置の上下差を小さくできるため、アッパーケース１２”の嵩を低く抑えて電気接続箱１０”の大型化を抑制することができる。また、バスバー一体ヒュージブルリンク２０Ａの溶断部２３ａはバスバー一体ヒュージブルリンク２０Ｂの上端越しに視認することができ、バスバー一体ヒュージブルリンク２０Ｃの溶断部２３ｃはバスバー一体ヒュージブルリンク２０Ｄの上端越しに視認することができるため、４枚のバスバー一体ヒュージブルリンク２０Ａ〜２０Ｄの全てについて、ケース１１”から取り外すことなく溶断有無を確認することができる。
【００２９】
【発明の効果】
以上の説明より明らかなように、本発明によれば、ケース周壁側のバスバー一体ヒュージブルリンクを最下位置として内部側に向かってバスバー一体ヒュージブルリンクを高く配置できるように段差を設けることにより、内部のバスバー一体ヒュージブルリンクの溶断部は、隣接する周壁側のバスバー一体ヒュージブルリンクの上端越しに視認することが可能となる。従って、ケース周壁側のバスバー一体ヒュージブルリンクの溶断部は周壁に形成した切欠部を通じて、内部側の溶断部は上記方法により、いずれもケースからバスバー一体ヒュージブルリンクを取り外さずに容易に視認することができるため、溶断有無の確認作業の手間と時間を軽減することができる。また、バスバー一体ヒュージブルリンクの引き抜きに起因する端子変形を防止して品質向上を図ることができる。
【００３０】
さらに、バスバー一体ヒュージブルリンク間の隙間が広いときは段差量を小さくすることにより、内部側の溶断部を外部から視認できるようにすることと、電気接続箱の嵩高抑制とのバランスをとることができる。
【図面の簡単な説明】
【図１】本発明の第１実施形態に係る電気接続箱を示す分解斜視図である。
【図２】図１に示すケースにバスバー一体ヒュージブルリンクを収容した状態を示す斜視図である。
【図３】図２に示すケースにアッパーカバーを被せた状態を示す要部断面図である。
【図４】本発明の第２実施形態に係る電気接続箱の要部断面図である。
【図５】本発明の第３実施形態に係る電気接続箱の要部断面図である。
【図６】従来例の図である。
【図７】他の従来例の図である。
【符号の説明】
１０、１０’、１０”  電気接続箱
１１、１１’、１１”  ケース
１１ａ、１１ａ’、１１ａ”  周壁
１６、１６’、１６”  切欠部
２０Ａ〜２０Ｄ  バスバー一体ヒュージブルリンク
２３ａ〜２３ｄ  溶断部
Ｈ１〜Ｈ４  段差量
【図１】
2005045867.tif 000003
【図２】
2005045867.tif 000004
【図３】
2005045867.tif 000005
【図４】
2005045867.tif 000006
【図５】
2005045867.tif 000007
【図６】
2005045867.tif 000008
【図７】
2005045867.tif 000009